(57)【要約】      （修正有）【課題】新たな部品を追加すること無く、プラグ差込時のイヤホンプラグソケット強度を改善したテレビジョンおよびイヤホンプラグソケットの提供。【解決手段】保持部材４２はメイン基板４０の形成時に切断可能に形成され、メイン基板４０の基板形成後に同基板から切断されることにより同基板から凸型に分離させられる。また、メイン基板４０にはイヤホンプラグソケット４４が差込口４４ｂを外縁に向けて取り付けられるとともにスリット４６が形成され、保持部材４２の突出部分４３ａが嵌合させられる。また保持部材４２は、スリット４６に嵌合させられたとき、縁部４３ｂがイヤホンプラグソケット４４の背面の溝４４ａに接する。【選択図】図２
0003120045.tif 000002
【実用新案登録請求の範囲】
【請求項１】
映像を画面に表示するブラウン管と、
音声を出力するスピーカと、
音声信号が出力されるイヤホンプラグソケットと、
テレビ放送を受信して映像を上記ブラウン管に表示させるとともに音声を上記スピーカにて出力させ、かつ、上記イヤホンプラグソケットが差込口を外縁に向けて取り付けられるメイン基板と、
上記ブラウン管と上記スピーカと上記メイン基板とを収容するとともに上記イヤホンプラグソケットの差込口を露出させる穴が前面に形成された樹脂製のキャビネットと
を備えるテレビジョンにおいて、
上記メイン基板は、
配線パターンが形成されない端部に割取線が形成され、基板形成後に切断されることにより同メイン基板から分離される凸字形の保持部材と、
上記保持部材の突出部分が差し込まれるとともに上記保持部材の張出部分の縁部が上記イヤホンプラグソケットの背面に接する位置に形成されるスリットと、
上記イヤホンプラグソケットにおいて上記縁部と係合するように背面に縦長に形成される溝とを備え、
上記突出部分の長さは上記メイン基板の厚み以上で幅が上記スリットへ圧入できる長さであり、
上記穴は上記差込口よりも大きく、上記イヤホンプラグソケットの外形よりも小さく形成され、
上記突出部分は上記スリットに圧入されて固定されるとともに半田ディップにより固着される
ことを特徴とするテレビジョン。
【請求項２】
差込口を外縁に向けてイヤホンプラグソケットが取り付けられる基板と、
上記基板の基材上に形成され、基板形成後に同基板から切断されることにより同基板から凸型に分離させられる保持部材と、
上記基板に形成されて上記保持部材が嵌合して固定されるスリットと、
上記保持部材において上記スリットに嵌合させられる突出部分と、
上記保持部材において上記イヤホンプラグソケットの背面に接する縁部と
を備えることを特徴とするイヤホンプラグソケット固定構造。
【請求項３】
上記突出部分の幅を、上記スリットへ圧入できる幅とすることを特徴とする上記請求項２に記載のイヤホンプラグソケット固定構造。
【請求項４】
上記イヤホンプラグソケットには、上記縁部と係合する溝が形成されることを特徴とする上記請求項２または３に記載のイヤホンプラグソケット固定構造。
【請求項５】
上記突出部分は、上記基板に半田ディップにより固着されることを特徴とする上記請求項２〜４のいずれかに記載のイヤホンプラグソケット固定構造。
【考案の詳細な説明】
【技術分野】
【０００１】
本考案は、テレビジョンおよびイヤホンプラグソケット固定構造に関する。
【背景技術】
【０００２】
テレビジョンには一般にイヤホンプラグソケットが備えられており、このソケットは半田などによって基板に固定されている。ユーザのイヤホンの抜き差しを行うとこのソケットに前後方向に応力が加わり、半田剥がれや半田割れなどが起こり、接触不良などのトラブルが起こる可能性があった。従来においては、ソケットを補強するために、別ピースのホルダーを追加して対応していた（特許文献１、２、３）。
【０００３】
そして、特許文献４には、シャーシの切り起し片を基板の開口より突出させ、この切り起し片をソケットの背面に当接させることによりソケットを補強することについて開示されている。また、特許文献４に引用されている従来の技術には、プリント基板上に積層配置されているほかのプリント基板の一側縁をソケットの背面に当接させることについて開示されている。
【特許文献１】特開２００５−１５０００４
【特許文献２】特開平５−２０５８２７
【特許文献３】特開平１０−１７２６７６
【特許文献４】実開平１−１７４８８３
【考案の開示】
【考案が解決しようとする課題】
【０００４】
イヤホンプラグソケットは基板上に複数個のピンを半田付けすることにより固定されている。しかしながら、ヘッドホンプラグの抜き差しを行う際にかかる応力に対して、半田付けのみの強度では信頼性が低く、パターン剥がれなどの不良が発生しやすい。
【０００５】
本考案では、新たな部品を追加すること無く、プラグ差込時の応力に対するイヤホンプラグソケットの基板への固定強度を改善することを目的とする。
【課題を解決するための手段】
【０００６】
上記課題を解決するために、本考案では、映像を画面に表示するブラウン管と、音声を出力するスピーカと、音声信号が出力されるイヤホンプラグソケットと、テレビ放送を受信して映像を上記ブラウン管に表示させるとともに音声を上記スピーカにて出力させ、かつ、上記イヤホンプラグソケットが差込口を外縁に向けて取り付けられるメイン基板と、上記ブラウン管と上記スピーカと上記メイン基板とを収容するとともに上記イヤホンプラグソケットの差込口を露出させる穴が前面に形成された樹脂製のキャビネットとを備えるテレビジョンにおいて、上記メイン基板は、配線パターンが形成されない端部に割取線が形成され、基板形成後に切断されることにより同基板から分離される凸字形の保持部材と、上記保持部材の突出部分が差し込まれるとともに上記保持部材の張出部分の縁部が上記イヤホンプラグソケットの背面に接する位置に形成されるスリットと、上記イヤホンプラグソケットにおいて上記縁部と係合するように背面に縦長に形成される溝とを備え、上記突出部分の長さは上記基板の厚み以上で幅が上記スリットへ圧入できる長さであり、上記露見穴は上記差込口よりも大きく、上記イヤホンプラグソケットの外形よりも小さく形成され、上記突出部分は上記スリットに圧入されて固定されるとともに半田ディップにより固着される構成としてある。
【０００７】
また、上記目的を達成するために、請求項２に記載のイヤホンプラグソケット固定構造では、差込口を外縁に向けてイヤホンプラグソケットが取り付けられた基板と、上記基材上に形成され基板形成後に同基板から切断されることにより同基板から凸型に分離させられる保持部材と、上記基板に形成されて上記保持部材が嵌合して固定されるスリットと、上記保持部材において上記スリットに嵌合させられる突出部分と、上記保持部材において上記イヤホンプラグソケットの背面に接する縁部とを備える構成としてある。
【０００８】
つまり、上記保持部材は上記基板の形成時に切断可能に形成され、上記基板の基板形成後に同基板から切断されることにより同基板から凸型に分離させられる。また、上記基板には上記イヤホンプラグソケットが差込口を外縁に向けて取り付けられるとともに上記スリットが形成され、上記保持部材の上記突出部分が嵌合させられる。また上記保持部材は、上記スリットに嵌合させられたとき、上記縁部が上記イヤホンプラグソケットの背面に接する。
【０００９】
そして、請求項３にかかる考案では、上記請求項２に記載のイヤホンプラグソケット固定構造において、上記突出部分の幅を、上記スリットへ圧入できる幅とする構成としてある。
つまり、上記突出部分は上記スリットへ圧入可能となるように、上記突出部分の幅を上記スリットの長さよりもわずかに長くしてある。
【００１０】
さらに、請求項４にかかる考案では、上記請求項２または３に記載のイヤホンプラグソケット固定構造において、上記イヤホンプラグソケットには、上記縁部と係合する溝が形成される構成としてある。
つまり、上記保持部材の上記縁部は、上記溝に接して、上記イヤホンプラグソケットを背面から保持する。
【００１１】
また、請求項５にかかる考案では、上記請求項２〜４のいずれかに記載のイヤホンプラグソケット固定構造において、上記突出部分は、上記基板に半田ディップにより固着される構成としてある。
つまり、上記保持部材は、上記突出部分が上記スリットに圧入されるとともに、半田ディップによって上記基板に固着される。
【考案の効果】
【００１２】
請求項２にかかる考案によれば、イヤホンプラグソケットへのイヤホンプラグ挿入方向に応力がかかっても、保持部材がイヤホンプラグソケットを背面から保持するため、イヤホンプラグソケットと基板との接触部分における半田割れなどが起こりにくくなる。また、基板の一部を保持部材として流用するため、新たな部品を追加する必要が無く、コストを抑えることが出来る。
【００１３】
そして請求項３にかかる考案によれば、保持部材をスリットに圧入できるため、保持部材が基板に対してしっかりと固定され、イヤホンプラグソケットをさらに強固に保持可能となる。
さらに請求項４にかかる考案によれば、イヤホンプラグソケットの背面に形成される溝と保持部材の縁部とが係合するため、イヤホンプラグソケットへかかる応力が保持部材に伝達されやすくなり、保持部材がイヤホンプラグソケットを保持しやすくなる。
また請求項５にかかる考案によれば、保持部材を半田ディップにて基板に固定するため、イヤホンプラグソケットをさらに強固に保持可能となる。
【００１４】
さらに請求項１のような、より具体的な構成において、上述した請求項２〜請求項の各考案と同様の作用を奏することはいうまでもない。
【考案を実施するための最良の形態】
【００１５】
以下、下記の順序に従って本考案の実施形態を説明する。
（１）テレビジョンの構成：
（２）イヤホンプラグソケット固定構造の構成：
（３）まとめ：
【００１６】
（１）テレビジョンの構成：
図１は、本考案の一実施形態にかかるテレビジョンの内部構成を示す図である。同図において、テレビジョンのキャビネットは、前側のフロントキャビネット１０と後ろ側のバックキャビネット２０とが嵌合する構成となっている。フロントキャビネット１０はその前部にブラウン管３０を嵌合するための長四角の開口部を有し、ブラウン管３０が４か所でねじ止めされてフロントキャビネット１０に取り付けられる。フロントキャビネット１０の開口部の下側には、概略、電源スイッチやチャネル切り替えなどの操作ボタンと、外部入力端子と、イヤホンのプラグ差込口４４ｂとが備えられる操作パネル１２が形成されている。
【００１７】
フロントキャビネット１０の底部には、メイン基板４０を取り付けるための底板１４とスピーカ１６を取り付けるためのスピーカ取り付け板１８とがフロントキャビネット１０と一体的に形成されている。底板１４には略水平にメイン基板４０が設置される。また、バックキャビネット２０は、ブラウン管３０の後方の突部が収容されるように、前部が開放された箱体を形成している。
【００１８】
メイン基板４０には商用電源から各部にて所用の電源を生成する電源回路や、指定された搬送周波数のテレビ電波を取得し中間周波信号を生成するチューナ回路や、中間周波信号から同期信号や色信号等を取り出してブラウン管３０に出力する映像信号を生成する映像信号処理回路や、中間周波信からスピーカに出力可能な音声信号を生成する音声信号処理回路や、ブラウン管３０の駆動に必要なパルス信号を生成する発振回路や、ブラウン管３０の駆動に必要な高圧を生成するフライバックトランスや、電子ビームを水平・垂直に偏向させるための偏向回路や、各部の制御を行うマイコン等が実装されている。
【００１９】
なお、本実施形態では受像管から映像を出力するテレビジョンを例に取り上げて説明するが、本考案の映像出力装置には、液晶パネルから映像を出力する液晶テレビジョンやプラズマディスプレイから映像を出力するプラズマテレビジョン等も考えられる。
【００２０】
（２）イヤホンプラグソケット固定構造の構成：
図２はイヤホンプラグソケット固定構造を斜めから見て示した模式図、図３はイヤホンプラグソケット固定構造を上面から見て示した上面図、図４はイヤホンプラグソケット固定構造の断面図である。イヤホンプラグソケット固定構造は、メイン基板４０と保持部材４２とから構成されている。
【００２１】
メイン基板４０のフロントキャビネット１０と接する側には、電源などの操作ボタンや外部入力端子などと並んでイヤホンプラグソケット４４が取り付けられている。イヤホンプラグソケット４４は、プラグ差込口４４ｂがテレビジョンの前面に配向するように取り付けられている。そして、メイン基板４０上には、イヤホンプラグソケット４４の背面から所定距離おいて、長辺がプラグ差込方向となるスリット４６が形成されている。この所定距離としては、図５のように、保持部材４２の突出部分４３ａから縁部４３ｂまでの長さ４３ｃと等しくなる。
【００２２】
また、メイン基板４０には外形およびパターンを形成する際に、割取スリット４８が形成され、保持部材４２が割り取り可能とされている。この割取スリット４８は、保持部材４２をメイン基板４０に支持可能、かつ、基板形成後に割り取ることが可能なように、部分的にメイン基板４０と接続部分を残して形成される。なお、保持部材４２および割取スリット４８の形成位置はメイン基板４０上のパターンが形成されない位置ならどこであっても構わない。
【００２３】
イヤホンプラグソケット４４は略直方体で、前面にプラグ差込口４４ｂを備えるとともに、このプラグ差込口４４ｂをフロントキャビネット１０の操作パネル１２から外部に露出されている。またイヤホンプラグソケット４４背面の略中央には、上下方向に溝４４ａが形成されていて、後述する保持部材４２の縁部４３ｂと係合する。
【００２４】
保持部材４２の形状は、凸字型であり、突出部分４３ａを持つ。この突出部分４３ａがイヤホンプラグソケットの背面側に形成されるスリット４６と嵌合し、保持部材４２をメイン基板４０に対して略垂直に立設可能とする。また保持部材４２がスリット４６に立設されると、その縁部４３ｂのいずれかイヤホンプラグソケット４４の背面に形成された溝４４ａと係合して、イヤホンプラグソケット４４を背面から支持する。  
【００２５】
また、保持部材４２の突出部分４３ａの幅は、スリット４６の長さよりもわずかに長く形成されており、保持部材４２がスリット４６に圧入可能となっている。さらに、保持部材４２とスリット４６とは半田ディップにより固着される。
【００２６】
また、フロントキャビネット１０に形成されるプラグ差込口４４ｂを露出させるための穴は、プラグ差込口４４ｂよりも大きく、イヤホンプラグソケット４４前面部の外形よりも小さく形成されてもよい。これにより、フロントキャビネット１０がイヤホンプラグソケット４４前面を支持することに成り、ユーザがイヤホンプラグをプラグ差込口４４ｂから抜く際にイヤホンプラグソケット４４にかかる応力を小さくすることが可能となる。これによりイヤホンプラグソケット４４を補強することが出来、半田剥がれなどを防ぐことが可能となる。
【００２７】
さらに、この割取スリット４８に残される保持部材４２とメイン基板４０の接続部分は、図６のように、圧入時にスリット４６と接する部分や、イヤホンプラグソケット４４背面に接する部分を避けて形成されるようにしても構わない。これにより、スリット４６に保持部材４２を圧入しやすくなるとともに、保持部材４２とイヤホンプラグソケット４４背面とが略線接触するためイヤホンプラグソケット４４を保持しやすくなる。
【００２８】
そして、フロントキャビネット１０形成時に、イヤホンプラグソケット４４の上面および左右両側面に接するリブを形成しておくと、イヤホンプラグソケット４４にかかる左右方向への応力にも対応可能となる。
【００２９】
（３）まとめ：
つまり、保持部材４２はメイン基板４０の形成時に切断可能に形成され、メイン基板４０の基板形成後に同基板から切断されることにより同基板から凸型に分離させられる。また、メイン基板４０にはイヤホンプラグソケット４４がプラグ差込口４４ｂを外縁に向けて取り付けられるとともにスリット４６が形成され、保持部材４２の突出部分４３ａが嵌合させられる。また保持部材４２は、スリット４６に嵌合させられたとき、縁部４３ｂがイヤホンプラグソケット４４の背面の溝４４ａに接する。
【００３０】
以上説明したように、本実施例に対応する請求項２にかかるイヤホンプラグソケット固定構造では、差込口を外縁に向けてイヤホンプラグソケットが取り付けられた基板と、上記基材上に形成され基板形成後に同基板から切断されることにより同基板から凸型に分離させられる保持部材と、上記基板に形成されて上記保持部材が嵌合して固定されるスリットと、上記保持部材において上記スリットに嵌合させられる突出部分と、上記保持部材において上記イヤホンプラグソケットの背面に接する縁部とを備える構成としてある。
【００３１】
つまり、上記保持部材は上記基板の形成時に切断可能に形成され、上記基板の基板形成後に同基板から切断されることにより同基板から凸型に分離させられる。また、上記基板には上記イヤホンプラグソケットが差込口を外縁に向けて取り付けられるとともに上記スリットが形成され、上記保持部材の上記突出部分が嵌合させられる。また上記保持部材は、上記スリットに嵌合させられたとき、上記縁部が上記イヤホンプラグソケットの背面に接する。
上記のように構成した請求項２に記載の考案においては、イヤホンプラグソケットへのイヤホンプラグ挿入方向に応力がかかっても、保持部材がイヤホンプラグソケットを背面から保持するため、イヤホンプラグソケットと基板との接触部分における半田割れなどが起こりにくくなる。また、基板の一部を保持部材として流用するため、新たな部品を追加する必要が無く、コストを抑えることが出来る。
【００３２】
そして、請求項３にかかる考案では、上記請求項２に記載のイヤホンプラグソケット固定構造において、上記突出部分の幅を、上記スリットへ圧入できる幅とする構成としてある。
【００３３】
つまり、上記突出部分は上記スリットへ圧入可能となるように、上記突出部分の幅を上記スリットの長さよりもわずかに長くしてある。
上記のように構成した請求項３に記載の考案においては、保持部材をスリットに圧入できるため、保持部材が基板に対してしっかりと固定され、イヤホンプラグソケットをさらに強固に保持可能となる。
【００３４】
さらに、請求項４にかかる考案では、上記請求項２または３に記載のイヤホンプラグソケット固定構造において、上記イヤホンプラグソケットには、上記縁部と係合する溝が形成される構成としてある。
【００３５】
つまり、上記保持部材の上記縁部は、上記溝に接して、上記イヤホンプラグソケットを背面から保持する。
上記のように構成した請求項４に記載の考案においては、イヤホンプラグソケットの背面に形成される溝と保持部材の縁部とが係合するため、イヤホンプラグソケットへかかる応力が保持部材に伝達されやすくなり、保持部材がイヤホンプラグソケットを保持しやすくなる。
【００３６】
また、請求項５にかかる考案では、上記請求項２〜４のいずれかに記載のイヤホンプラグソケット固定構造において、上記突出部分は、上記基板に半田ディップにより固着される構成としてある。
【００３７】
つまり、上記保持部材は、上記突出部分が上記スリットに圧入されるとともに、半田ディップによって上記基板に固着される。
上記のように構成した請求項５に記載の考案においては、保持部材を半田ディップにて基板に固定するため、イヤホンプラグソケットをさらに強固に保持可能となる。
【００３８】
以上の構成を踏まえた上で、請求項１の考案は、映像を画面に表示するブラウン管と、音声を出力するスピーカと、音声信号が出力されるイヤホンプラグソケットと、テレビ放送を受信して映像を上記ブラウン管に表示させるとともに音声を上記スピーカにて出力させ、かつ、上記イヤホンプラグソケットが差込口を外縁に向けて取り付けられるメイン基板と、上記ブラウン管と上記スピーカと上記メイン基板とを収容するとともに上記イヤホンプラグソケットの差込口を露出させる穴が前面に形成された樹脂製のキャビネットとを備えるテレビジョンにおいて、上記メイン基板は、配線パターンが形成されない端部に割取線が形成され、基板形成後に切断されることにより同基板から分離される凸字形の保持部材と、上記保持部材の突出部分が差し込まれるとともに上記保持部材の張出部分の縁部が上記イヤホンプラグソケットの背面に接する位置に形成されるスリットと、上記イヤホンプラグソケットにおいて上記縁部と係合するように背面に縦長に形成される溝とを備え、上記突出部分の長さは上記基板の厚み以上で幅が上記スリットへ圧入できる長さであり、上記露見穴は上記差込口よりも大きく、上記イヤホンプラグソケットの外形よりも小さく形成され、上記突出部分は上記スリットに圧入されて固定されるとともに半田ディップにより固着される構成としてある。
【００３９】
なお、本考案は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本考案の一実施例として開示されるものである。
【図面の簡単な説明】
【００４０】
【図１】本考案の一実施形態にかかるテレビジョンの内部構成を示す斜視図である。
【図２】イヤホンプラグソケット固定構造を斜めから見て示した模式図である。
【図３】イヤホンプラグソケット固定構造を上面から見て示した上面図である。
【図４】イヤホンプラグソケット固定構造の断面図である。
【図５】保持部材の平面図である。
【図６】メイン基板と保持部材の接続部分の平面図である。
【符号の説明】
【００４１】
１０…フロントキャビネット
１２…操作パネル
１４…底板
１６…スピーカ
１８…スピーカ取り付け板
２０…バックキャビネット
３０…ブラウン管
４０…メイン基板
４２…保持部材
４３ａ…突出部分
４３ｂ…縁部
４３ｃ…所定距離
４４…イヤホンプラグソケット
４４ａ…溝
４４ｂ…プラグ差込口
４６…スリット
４８…割取スリット
【図１】
0003120045.tif 000003
【図２】
0003120045.tif 000004
【図３】
0003120045.tif 000005
【図４】
0003120045.tif 000006
【図５】
0003120045.tif 000007
【図６】
0003120045.tif 000008